(57)【要約】      （修正有）【課題】環状のバーナ本体の内周に内向きに開口する多数の炎孔を備えるコンロ用内炎式バーナであって、バーナ本体の上側と下側とに、夫々、二次空気用の上部整流板と下部整流板とが配置され、上部整流板の内周部に径方向内方に向かって斜め上方にのびるテーパー状の筒部が形成されているものにおいて、上部整流板の筒部の内面を伝って流下した煮こぼれ汁がコンロ本体内に落下することを防止する。【解決手段】上部整流板５の外周縁部にバーナ本体の上面に当接する垂下壁部５ｃが形成され、垂下壁部５ｃの周方向所定部分に、該垂下壁部の下縁に達する切欠き５ｄが形成されると共に、下部整流板６の外周の少なくとも前記切欠き５ｄの形成部分に合致する周方向部分に、バーナ本体３より径方向外方に張り出す汁受け部６ｅが形成される。また、垂下壁部５ｃに、その下縁に達しない通気孔５ｅが複数形成される。【選択図】図２
2006284124.tif 000002
【特許請求の範囲】
【請求項１】
環状のバーナ本体の内周に内向きに開口する多数の炎孔を備えるコンロ用内炎式バーナであって、バーナ本体の上側と下側とに、夫々、二次空気用の上部整流板と下部整流板とが配置され、上部整流板の内周部に径方向内方に向かって斜め上方にのびるテーパー状の筒部が形成されると共に、下部整流板に、バーナ本体の内周空間に臨む汁受け皿が装着されているものにおいて、
上部整流板の外周縁部にバーナ本体の上面に当接する垂下壁部が形成され、垂下壁部の周方向所定部分に、該垂下壁部の下縁に達する切欠きが形成されると共に、垂下壁部の切欠きの形成部分以外の周方向部分に、垂下壁部の下縁に達しない通気孔が複数形成され、
下部整流板の外周の少なくとも前記切欠きの形成部分に合致する周方向部分に、バーナ本体より径方向外方に張り出す汁受け部が形成されていることを特徴とするコンロ用内炎式バーナ。
【請求項２】
前記上部整流板は、前記バーナ本体に固定されるブラケットに上部整流板に設けられた耳片部を介して取付けられ、ブラケットは、耳片部を着座させる上板部とその両側の下方に屈曲する側板部とを有し、両側板部の下端部をバーナ本体の上面に着座させた状態でバーナ本体に固定され、耳片部は、前記垂下壁部の切起こしで形成され、耳片部の切起こし跡で前記切欠きが構成されることを特徴とする請求項１記載のコンロ用内炎式バーナ。
【請求項３】
前記筒部の前記各通気孔の形成部分に合致する周方向部分に、筒部の内面側に膨出する膨出部が形成されていることを特徴とする請求項１または２記載のコンロ用内炎式バーナ。
【発明の詳細な説明】
【技術分野】
【０００１】
本発明は、環状のバーナ本体の内周に内向きに開口する多数の炎孔を備えるコンロ用内炎式バーナに関する。
【背景技術】
【０００２】
従来、この種の内炎式バーナとして、バーナ本体の上側と下側とに、夫々、二次空気用の上部整流板と下部整流板とを配置し、炎孔からの混合気の噴出部に各整流板とバーナ本体との間の空隙を介して二次空気を供給するようにしたものは知られている(例えば、特許文献１参照)。そして、このものでは、コンロの天板に開設したバーナ用開口内に火炎を導くため、上部整流板の内周部に径方向内方に向かって斜め上方にのびるテーパー状の筒部を形成し、また、下部整流板に、バーナ本体の内周空間に臨む汁受け皿を装着し、バーナ本体の内周空間に落下する煮こぼれ汁を汁受け皿で受けられるようにしている。
【０００３】
ところで、上記筒部の上端の径はバーナ用開口より小径で、筒部の上端とバーナ用開口の周縁との間に隙間が空くが、この隙間は天板上に載置するリング部材で上方から覆われ、この隙間からコンロ本体内に煮こぼれ汁が落下することは無い。リング部材上に落下した煮こぼれ汁は大部分がバーナ本体の内周空間に落下して汁受け皿で受けられるが、一部の煮こぼれ汁がリング部材から筒部の内面を伝って流下することがある。ここで、従来は、上部整流板の外周縁部を、ほぼ全周に亘ってバーナ本体の上面から浮かせている。そのため、筒部を伝って流下した煮こぼれ汁がバーナ本体の上面に落下し、上部整流板とバーナ本体の上面との間の隙間を通過してバーナ本体の外周縁からコンロ本体内に落下する虞がある。
【特許文献１】特開２００３−２７９００８号公報(図１〜図３)
【発明の開示】
【発明が解決しようとする課題】
【０００４】
本発明は、以上の点に鑑み、上部整流板の筒部の内面を伝って流下した煮こぼれ汁がコンロ本体内に落下することを防止できるようにしたコンロ用内炎式バーナを提供することをその課題としている。
【課題を解決するための手段】
【０００５】
上記課題を解決するために、本発明は、環状のバーナ本体の内周に内向きに開口する多数の炎孔を備えるコンロ用内炎式バーナであって、バーナ本体の上側と下側とに、夫々、二次空気用の上部整流板と下部整流板とが配置され、上部整流板の内周部に径方向内方に向かって斜め上方にのびるテーパー状の筒部が形成されると共に、下部整流板に、バーナ本体の内周空間に臨む汁受け皿が装着されているものにおいて、上部整流板の外周縁部にバーナ本体の上面に当接する垂下壁部が形成され、垂下壁部の周方向所定部分に、該垂下壁部の下縁に達する切欠きが形成されると共に、垂下壁部の切欠きの形成部分以外の周方向部分に、垂下壁部の下縁に達しない通気孔が複数形成され、下部整流板の外周の少なくとも前記切欠きの形成部分に合致する周方向部分に、バーナ本体より径方向外方に張り出す汁受け部が形成されていることを特徴とする。
【０００６】
上記の構成によれば、上部整流板とバーナ本体との間に通気孔から流入する空気が炎孔からの混合気の噴出部に二次空気として供給される。そして、上部整流板の筒部の内面を伝って煮こぼれ汁が流下し、上部整流板からバーナ本体の上面に煮こぼれ汁が落下しても、バーナ本体の上面に着座する上部整流板の外周の垂下壁部により、切欠き以外の部分では垂下壁部の外側に煮こぼれ汁が流れ出ることが防止される。かくして、バーナ本体の上面に落下した煮こぼれ汁の流出箇所が切欠きに限定される。切欠きから外方に流れ出た煮こぼれ汁は、切欠きの外方に位置するバーナ本体の外周縁の箇所から滴下するが、この滴下箇所の下側には下部整流板の外周に形成した汁受け部が存在しており、この汁受け部で煮こぼれ汁が捕捉される。従って、上部整流板の筒部の内面を伝って流下した煮こぼれ汁がコンロ本体内に落下することを防止できる。
【０００７】
ところで、上部整流板は、一般的に、バーナ本体に固定されるブラケットに上部整流板に設けられた耳片部を介して取付けられる。そして、ブラケットは、耳片部を着座させる上板部とその両側の下方に屈曲する側板部とを有し、両側板部の下端部をバーナ本体の上面に着座させた状態でバーナ本体に固定される。ここで、耳片部を前記垂下壁部の切起こしで形成し、耳片部の切起こし跡で前記切欠きが構成されるようにすれば、切欠きから流れ出た煮こぼれ汁は、ブラケットの両側板部に案内されて周方向に拡散することなく汁受け部の真上に位置するバーナ本体の外周縁の部分に到達して滴下し、汁受け部で確実に捕捉される。
【０００８】
尚、通気孔は垂下壁部の下縁に達しないように形成されているため、バーナ本体の上面に落下した煮こぼれ汁が通気孔から外方に流れ出ることは無い。但し、筒部の内面を伝って流下した煮こぼれ汁が上部整流板の内面を伝ってそのまま通気孔に達し、通気孔が煮こぼれ汁で閉塞される可能性がある。この場合、筒部の各通気孔の形成部分に合致する周方向部分に、筒部の内面側に膨出する膨出部を形成しておけば、筒部の内面を伝って流下した煮こぼれ汁が膨出部で周方向に振り分けられ、通気孔に煮こぼれ汁が達することを有効に防止できる。
【発明を実施するための最良の形態】
【０００９】
図１を参照して、１はコンロ本体(図示せず)の上面を覆う天板であり、コンロ本体内に、天板１に開設したバーナ用開口１ａに臨ませて、環状のバーナ本体３の内周に内向きに開口する多数の炎孔４を備える内炎式バーナ２を配置している。バーナ本体３は、プレス成形された上下２枚の板を重ね合わせて構成されており、図２〜図４に示す如く、環状の分布管部３ａと、分布管部３ａの周囲１箇所から接線方向外方にのびる混合管部３ｂと、分布管部３ａの内周から斜め上向きに張り出す炎孔形成部３ｃとを備えており、炎孔形成部３ｃの上下の板に間に上記多数の炎孔４が形成されている。混合管部３ｂには、図示省略したガスノズルから燃料ガスが流入されると共に一次空気が吸入される。そして、燃料ガスと一次空気とが混合管部３ｂで混合されて混合気が生成され、分布管部３ａを介して各炎孔４から混合気が噴出して燃焼する。
【００１０】
バーナ本体３の上側と下側には、夫々、二次空気用の上部整流板５と下部整流板６とが配置されている。これを詳述するに、バーナ本体３の上面に、分布管部３ａの外周の周囲２箇所に位置させて、ブラケット７を設けると共に、上部整流板５の外周の周囲２箇所に外方に突出する耳片部５ａを設け、各耳片部５ａを各ブラケット７上にねじ止めすることで、上部整流板５をバーナ本体３の上側に固定している。また、上部整流板５の内周部には、径方向内方に向かって斜め上方にのびるテーパー状の筒部５ｂが形成されており、筒部５ｂの上端部を天板１のバーナ用開口１ａに周囲の隙間を存して挿入している。かくして、炎孔４からの混合気の噴出部にバーナ本体３の上面と上部整流板５との間の空隙を介して二次空気が供給されると共に、混合気の燃焼火炎が筒部５ｂによりバーナ用開口１ａ内に導かれ、天板１上の五徳８に載置する被加熱物が加熱される。尚、五徳８の五徳枠８ａは、筒部５の上端部とバーナ用開口１ａの周縁との間の隙間を上方から覆う煮こぼれ対策用のカバー部材に兼用されている。また、バーナ本体３の上面には、火炎検知用の熱電対９(図３参照)を保持するブラケット１０が取付けられている。
【００１１】
上部整流板５用のブラケット７は、上部整流板５の耳片部５ａを着座させる上板部７ａとその両側の下方に屈曲する側板部７ｂ，７ｂとを有し、両側板部７ｂ，７ｂの下端部をバーナ本体３の上面に着座させた状態でバーナ本体３に固定されている。これを更に詳述するに、各側板部７ｂの下端に外側に屈曲してバーナ本体３の上面に着座する着座部７ｃを形成すると共に、着座部７ｃの外側縁に下方に屈曲してバーナ本体３に形成した取付孔３ｄに挿入される係止部７ｄを形成し、この係止部７ｄをバーナ本体３の下面でかしめることにより、バーナ本体３にブラケット７が固定されている。また、熱電対９用のブラケット１０にも、バーナ本体３に形成した取付孔３ｅに挿入される係止部１０ａが形成されており、この係止部１０ａをバーナ本体３の下面でかしめることにより、バーナ本体３にブラケット１０が固定されている。
【００１２】
下部整流板６には、その外周の周囲２箇所に位置させて、外方にのびる耳片部６ａが設けられており、上部整流板５用の各ブラケット７の係止部７ｄを、バーナ本体３の下面で、各耳片部６ａを抱持するようにしてかしめることにより、下部整流板６をバーナ本体３の下側に固定している。また、下部整流板６とバーナ本体３の下面との間には耳片部６ａを除いて隙間が空いており、炎孔４からの混合気の噴出部にバーナ本体３の下面と下部整流板６との間の隙間を介しても二次空気が供給される。また、バーナ本体３の内周空間に臨む下部整流板６の中央部には、下方への窪み６ｂが形成されており、この窪み６ｂに、把手１１ａの付いた汁受け皿１１が着脱自在に装着されている。かくして、バーナ本体３の内周空間に落下した煮こぼれ汁は汁受け皿１１で受けられる。また、下部整流板６には、一方の耳片部６ａの近傍に位置させて、点火電極１２用の挿通孔６ｃが形成されている。更に、下部整流板６の外周縁には、外周縁から煮こぼれ汁がコンロ本体内に落下することを防止するため、若干の立上り部６ｄが形成されている。
【００１３】
ところで、煮こぼれ汁が五徳枠８ａ上に落下すると、一部の煮こぼれ汁が五徳枠８ａの内周縁から上部整流板５の筒部５ｂの内面に乗り移り、筒部５ｂの内面を伝って煮こぼれ汁が流下して上部整流板５からバーナ本体３の上面に落下することがある。このままでは、バーナ本体３の外周縁から煮こぼれ汁がコンロ本体内に落下してしまう。そこで、上部整流板５の外周縁部に、バーナ本体３の上面に当接する垂下壁部５ｃを形成し、上部整流板５からバーナ本体３の上面に落下した煮こぼれ汁がバーナ本体３の外周縁側に流れることを垂下壁部５ｃによって防止できるようにしている。尚、本実施形態では、分布管部３ａの上面に垂下壁部５ｃを当接させているが、分布管部３ａの外周のバーナ本体３の部分の上面に当接するように垂下壁部５ｃを形成しても良い。
【００１４】
尚、垂下壁部５ｃを形成したままでは、バーナ本体３の上面に煮こぼれ汁が溜り、多量の煮こぼれを生じた場合、バーナ本体３の上面から炎孔４側に煮こぼれ汁が溢れ出て、炎孔４が閉塞される可能性がある。そこで、垂下壁部５ｃに、周方向所定部分に位置させて、垂下壁部５ｃの下縁に達する切欠き５ｄを形成すると共に、下部整流板６の外周に、切欠き５ｄの形成部分に合致する周方向部分に位置させて、バーナ本体３より径方向外方に張り出す汁受け部６ｅを形成している。
【００１５】
これによれば、バーナ本体３の上面の垂下壁部５ｃの内側の部分に溜まった煮こぼれ汁が切欠き５ｄから外方に流れ出て、バーナ本体３の上面に煮こぼれ汁が過度に溜まることが防止される。また、煮こぼれ汁の流出箇所が切欠き５ｄに限定されるため、垂下壁部５ｃの内側から流れ出た煮こぼれ汁がバーナ本体３の外周縁から滴下する箇所も切欠き５ｄの形成部分に合致する周方向部分に限定される。そして、この滴下箇所の下側には下部整流板６から張り出す汁受け部６ｅが存在するため、切欠き５ｄを通して流れ出てバーナ本体３の外周縁部から滴下する煮こぼれ汁は汁受け部６ｅで捕捉され、コンロ本体内に落下することは無い。
【００１６】
ここで、本実施形態では、上部整流板５の上記各耳片部５ａを垂下壁部５ｃの切起こしで形成し、各耳片部５ａの切起こし跡で上記各切欠き５ｄが構成されるようにしている。そのため、各切欠き５ｄの外側には各耳片部５ａをねじ止めする上部整流板５用の各ブラケット７が存在する。また、下部整流板６の汁受け部６ｅは、各ブラケット７の係止部７ｄで抱持される下部整流板６の各耳片部６ａから外方に延出されている。従って、各切欠き５ｄから流れ出た煮こぼれ汁は、各ブラケット７の両側板部７ｂ，７ｂに案内されて周方向に拡散することなく汁受け部６ｅの真上に位置するバーナ本体３の外周縁の部分に到達して滴下し、汁受け部６ｅで確実に捕捉される。尚、耳片部６ａには、その幅方向中央部に位置させて、下方に窪む溝部６ｆが形成されており、汁受け部６ｅで捕捉された煮こぼれ汁は溝部６ｆを介して汁受け皿１１に導かれる。
【００１７】
また、垂下壁部５ｃには、切欠き５ｄの形成部分以外の周方向部分に位置させて、垂下壁部５ｃの下縁に達しない通気孔５ｅが複数形成されている。従って、上部整流板５とバーナ本体３の上面との間の空隙にこれら通気孔５ｅから流入する空気が炎孔４からの混合気の噴出部に二次空気として供給される。ここで、通気孔５ｅは垂下壁部５ｃの下縁に達しないように形成されているため、バーナ本体３の上面に落下した煮こぼれ汁が通気孔５ｅから外方に流れ出ることは無い。尚、二次空気不足を生じないように、各通気孔５ｅは、垂下壁部５ｃの上端から内方にのびる上部整流板５の平坦部に亘って形成されている。
【００１８】
ところで、上部整流板５の筒部５ｂの内面を伝って流下した煮こぼれ汁が上部整流板５の内面を伝ってそのまま通気孔５ｅに達し、通気孔５ｅが煮こぼれ汁で閉塞される可能性がある。そこで、本実施形態では、筒部５ｂの各通気孔５ｅの形成部分に合致する周方向部分に、図５に示す如く、筒部５ｂの内面側に膨出する膨出部５ｆを形成している。そのため、筒部５ｂの内面を伝って流下した煮こぼれ汁は膨出部５ｆで周方向に振り分けられ、通気孔５ｅに煮こぼれ汁が達することを有効に防止できる。
【００１９】
また、熱電対９用のブラケット１０は、その先端部が上部整流板５の垂下壁部５ｃの内側に入り込むようにバーナ本体３に固定されている。そして、ブラケット１０に合致する垂下壁部５ｃの部分に形成した通気孔５ｅに熱電対９を挿入した状態で、ブラケット１０にピン１０ｂを用いて熱電対９を取付けている。
【００２０】
尚、上記実施形態では、上部整流板５の垂下壁部５ｃのブラケット７に対向する周方向部分に切欠き５ｄを形成したが、この切欠き５ｄに加えて、または、この切欠き５ｄに代えて、他の部分に切欠きを形成し、下部整流板６の外周に、この切欠きの形成部分に合致する周方向部分に位置させて、バーナ本体３より径方向外方に張り出す汁受け部を形成しても良い。但し、垂下壁部５ｃのブラケット７に対向する周方向部分に切欠き５ｄを形成しない場合、固定用の耳片部５ａを上部整流板５にスポット溶接などで取付けられる別部材で構成する必要があって、コストが高くなる。また、垂下壁部５ｃのブラケット７に対向する周方向部分以外の部分に形成した切欠きから煮こぼれ汁が流れ出た場合、ブラケット７の両側板部７ｂ，７ｂによる煮こぼれ汁の周方向への拡散防止機能が得られなくなるため、バーナ本体３の外周縁の比較的広い範囲から煮こぼれ汁が滴下する可能性がある。従って、煮こぼれ汁を確実に捕捉するには、汁受け部を幅広に形成する必要があり、下部整流板６が大型化する。以上の不具合を防止するには、上記実施形態のように構成すること望ましい。
【００２１】
また、上記実施形態では、下部整流板６の中央部に形成した窪み部６ｂに汁受け皿１１を装着したが、下部整流板６を環状に形成して、その内周に汁受け皿１１を装着しても良い。
【図面の簡単な説明】
【００２２】
【図１】本発明の実施形態の内炎式バーナを具備するコンロの要部の断面図。
【図２】実施形態の内炎式バーナの分解状態の斜視図。
【図３】実施形態の内炎式バーナの上面図。
【図４】実施形態の内炎式バーナの下面図。
【図５】図３のＶ−Ｖ線で切断した断面図。
【符号の説明】
【００２３】
２…内炎式バーナ、３…バーナ本体、４…炎孔、５…上部整流板、５ａ…耳片部、５ｂ…筒部、５ｃ…垂下壁部、５ｄ…切欠き、５ｅ…通気孔、５ｆ…膨出部、６…下部整流板、６ｅ…汁受け部、７…ブラケット、７ａ…上板部、７ｂ…側板部、１１…汁受け皿。
【図１】
2006284124.tif 000003
【図２】
2006284124.tif 000004
【図３】
2006284124.tif 000005
【図４】
2006284124.tif 000006
【図５】
2006284124.tif 000007